(57)【要約】【課題】  本発明は、まくら木内に埋込栓を正確に固定し、且つ埋込栓の周囲に均等に固定剤を充填できるまくら木の製造方法、及びまくら木内における埋込栓の埋設位置の精度が高いまくら木を提供することである。【解決手段】  埋込栓３は、めねじ５を有する筒部７と、筒部７の一端に形成された鍔部４と、を有し、まくら木１に、上面３０側に開口するボルト用孔１１と、ボルト用孔１１から埋込栓当接段部１６をもって拡径状となる埋込栓用孔１２と、埋込栓用孔１２に連続し下面３１側に開口する鍔部用孔１３と、を形成し、埋込栓３の筒部７を、その他端がまくら木１の埋込栓当接段部１６に当接するように、埋込栓用孔１２に収容し、埋込栓３のめねじ５に螺合する位置治具４０で、鍔部４を埋込栓用孔１２から離間させた状態で埋込栓３をまくら木１内に位置固定し、埋込栓用孔１２及び鍔部用孔１３に樹脂２０を充填する。【選択図】図８
2011006938.tif 000002
【特許請求の範囲】
【請求項１】
まくら木に埋込栓を埋設し、前記埋込栓にボルトを螺合してレールをまくら木に固定するまくら木の製造方法であって、
前記埋込栓は、めねじを有する筒部と、筒部の一端に形成された突出部と、を有し、
まくら木に、上面側に開口するボルト用孔と、ボルト用孔から段部をもって拡径状となる収容空間と、前記収容空間に連続し下面側に開口する凹部と、を形成し、
前記埋込栓の筒部を、その他端が前記まくら木の段部に当接するように、収容空間に収容し、
埋込栓のめねじに螺合する位置決め部材で、前記突出部を収容空間から離間させた状態で埋込栓をまくら木内に位置固定し、
前記収容空間及び凹部に固定剤を充填することを特徴とするまくら木の製造方法。
【請求項２】
前記ボルト用孔に位置決め部材を挿通し、且つ、埋込栓のめねじに螺合させた状態で、固定剤を収容空間及び凹部に充填することを特徴とする請求項１に記載のまくら木の製造方法。
【請求項３】
前記ボルト用孔と、収容空間と、凹部とを、各々同心状の円柱形の空間に形成することを特徴とする請求項１又は２に記載のまくら木の製造方法。
【請求項４】
埋込栓の外側表面に凹部及び／又は凸部を設けることを特徴とする請求項１乃至３のいずれかに記載のまくら木の製造方法。
【請求項５】
請求項１〜４に記載のまくら木の製造方法で製造することを特徴とするまくら木。
【請求項６】
まくら木に埋込栓が埋設されて、且つ、前記埋込栓にボルトが螺合してレールをまくら木に固定するまくら木であって、
前記埋込栓は、めねじを有する筒部と、筒部の一端に形成された突出部と、を有し、
まくら木には、上面側に開口するボルト用孔と、ボルト用孔から段部をもって拡径状となる収容空間と、前記収容空間に連続し下面側に開口する凹部と、が設けてあり、
前記埋込栓の筒部が、その他端が前記まくら木の段部に当接するように、収容空間に収容され、
突出部が凹部内の収容空間から離間した位置に配置され、
収容空間を仕切る壁と埋込栓の間と、凹部内には固定剤が充填されていることを特徴とするまくら木。
【請求項７】
前記ボルト用孔と、収容空間と、凹部は、各々同心状の円柱形の空間であることを特徴とする請求項６に記載のまくら木。
【請求項８】
埋込栓の外側表面に凹部及び／又は凸部を設けたことを特徴とする請求項６又は７に記載のまくら木。
【発明の詳細な説明】
【技術分野】
【０００１】
本発明は鉄道用のレールの下側に配置されるまくら木、特に埋込栓を有したまくら木、及びまくら木の製造方法に関するものである。
【背景技術】
【０００２】
従来より、鉄道用のレールは、まくら木に取り付けられたタイプレート（鉄製の板）の上に配置され、タイプレートに付属された締結金具で固定される。
まくら木とタイプレートは、ボルト等により締結されており、まくら木にはめねじを有した埋込栓を埋設することが知られている。
特許文献１には、めねじを有した埋込栓と一体化された合成まくら木が開示されている。
【先行技術文献】
【特許文献】
【０００３】
【特許文献１】特開２００２−１６１５０１号公報
【０００４】
特許文献１に記載の発明は、鍔を有した埋込栓を合成まくら木に埋め込み、且つ固定することで、列車からの横圧力及びふく進力に対する強度が向上し、引抜抵抗力を大きくできるとされている。特許文献１に記載の合成まくら木の構成について詳しく説明すると、合成まくら木の孔の略中央に、めねじを有した埋込栓が配置され、前記埋込栓の周囲及び埋込栓の底面側に樹脂を流し込むことで、前記埋込栓を合成まくら木に固着させている。
【発明の概要】
【発明が解決しようとする課題】
【０００５】
しかし、特許文献１に開示された合成まくら木は、前記埋込栓の周囲及び埋込栓の底面側に樹脂（固定剤）を流し込んだ際に、合成まくら木の孔の略中央に配置した前記埋込栓の位置がずれることや、前記埋込栓の周囲に樹脂（固定剤）が上手く入らないことがあった。
【０００６】
さらに、合成まくら木の上面から埋込栓の一部が突出することがあり、その場合には、突出した部位を削り取らなければならず、製造上で手間が掛かることがあった。
【０００７】
そこで本発明は、上述した従来技術の問題に鑑み、まくら木内に埋込栓を正確に固定でき、また、作業性が良いまくら木の製造方法、及びまくら木内における埋込栓の埋設位置の精度が高いまくら木を提供することを課題とする。
【課題を解決するための手段】
【０００８】
上記課題を解決するための請求項１に記載の発明は、まくら木に埋込栓を埋設し、前記埋込栓にボルトを螺合してレールをまくら木に固定するまくら木の製造方法であって、前記埋込栓は、めねじを有する筒部と、筒部の一端に形成された突出部と、を有し、まくら木に、上面側に開口するボルト用孔と、ボルト用孔から段部をもって拡径状となる収容空間と、前記収容空間に連続し下面側に開口する凹部と、を形成し、前記埋込栓の筒部を、その他端が前記まくら木の段部に当接するように、収容空間に収容し、埋込栓のめねじに螺合する位置決め部材で、前記突出部を収容空間から離間させた状態で埋込栓をまくら木内に位置固定し、前記収容空間及び凹部に固定剤を充填することを特徴とするまくら木の製造方法である。
【０００９】
本発明におけるまくら木の製造方法では、埋込栓のめねじに螺合する位置決め部材で、埋込栓をまくら木内に位置固定し、埋込栓が収容された収容空間及び凹部に固定剤を充填することにより、埋込栓を適切な位置に固定することができる。つまり、樹脂を充填した際に埋込栓の位置がずれることがない。
また、埋込栓の筒部の他端がまくら木の段部に当接するように、収容空間に収容されているため、樹脂を流し込んだ際に、樹脂がボルト用孔に流れ込むことを防止すると共に、固定剤が位置決め部材に接触することを防止できる。すなわち、固定剤が位置決め部材に接触し、固定剤が固まった後、位置決め部材が固定されて抜けなくなることを防止する。
さらに、埋込栓の筒部の他端がまくら木の段部に当接することにより、埋込栓が収容空間から抜け出ることがなく、非常に強固なレールの抜止め構造となる。すなわち、列車からボルト等を介して埋込栓が横圧力及びふく進力を受けても、埋込栓が段部に当接しているため、埋込栓がまくら木内から抜け出る心配はない。
なお、位置決め部材によって、埋込栓がまくら木内に収まることにより、埋込栓がまくら木の上面から突出する事態が生ずることがなく、従来のように、埋込栓の突出した部位を削り取る必要がない。よって、作業性が良い。
【００１０】
また、本発明におけるまくら木の製造方法では、収容空間は埋込栓よりも大きいことにより、埋込栓を挿通すると、収容空間と埋込栓との間には、隙間ができる。
また、埋込栓の突出部が収容空間から離間していることにより、埋込栓と収容空間の壁の間への固定剤の充填を確実に行うことができる。
よって、埋込栓をまくら木内に強固に固着させることができ、埋込栓の引抜抵抗力を大きくできる。
【００１１】
請求項２に記載の発明は、前記ボルト用孔に位置決め部材を挿通し、且つ、埋込栓のめねじに螺合させた状態で、固定剤を収容空間及び凹部に充填することを特徴とする請求項１に記載のまくら木の製造方法である。
【００１２】
本発明のまくら木の製造方法では、前記ボルト用孔に位置決め部材を挿通することにより、位置決め部材をしっかりとボルト用孔に固定することができる。すなわち、まくら木に対する位置決め部材の位置決め精度を高くすることができる。
そして、位置決め部材を埋込栓のめねじに螺合させた状態で、固定剤を収容空間及び凹部に充填することにより、まくら木内における埋込栓の埋設位置の精度を高くすることが可能となる。
【００１３】
請求項３に記載の発明は、前記ボルト用孔と、収容空間と、凹部とを、各々同心状の円柱形の空間に形成することを特徴とする請求項１又は２に記載のまくら木の製造方法である。
【００１４】
本発明のまくら木の製造方法では、前記ボルト用孔と、収容空間と、凹部とを、各々同心状の円柱形の空間に形成することにより、埋込栓を収容空間の略中央に配置することができる。このことにより、埋込栓の周囲に、均等に固定剤を充填することが可能となり、強固に埋込栓をまくら木内に固着することが可能となる。
また、前記ボルト用孔と、収容空間と、凹部とを、各々同心状にすることにより、まくら木の穿孔加工が容易となる。つまり、製造現場において、作業性が良い。
【００１５】
請求項４に記載の発明は、埋込栓の外側表面に凹部及び／又は凸部を設けることを特徴とする請求項１乃至３のいずれかに記載のまくら木の製造方法である。
【００１６】
本発明のまくら木の製造方法では、埋込栓の外側表面に凹部及び／又は凸部を設けることにより、固定剤が埋込栓に固着する面積を大きくすることができる。よって、強固に埋込栓をまくら木内に固着することが可能となる。
【００１７】
請求項５に記載の発明は、請求項１〜４に記載のまくら木の製造方法で製造することを特徴とするまくら木である。
【００１８】
本発明のまくら木では、請求項１〜４に記載のまくら木の製造方法で製造することにより、まくら木内における埋込栓の埋設位置の精度が高いまくら木を提供することができる。
【００１９】
請求項６に記載の発明は、まくら木に埋込栓が埋設されて、且つ、前記埋込栓にボルトが螺合してレールをまくら木に固定するまくら木であって、前記埋込栓は、めねじを有する筒部と、筒部の一端に形成された突出部と、を有し、まくら木には、上面側に開口するボルト用孔と、ボルト用孔から段部をもって拡径状となる収容空間と、前記収容空間に連続し下面側に開口する凹部と、が設けてあり、前記埋込栓の筒部が、その他端が前記まくら木の段部に当接するように、収容空間に収容され、突出部が凹部内の収容空間から離間した位置に配置され、収容空間を仕切る壁と埋込栓の間と、凹部内には固定剤が充填されていることを特徴とするまくら木である。
【００２０】
本発明のまくら木では、ボルト用孔と収容空間との間に段部を設け、埋込栓の筒部の他端が前記段部に当接していることにより、埋込栓が収容空間から抜け出ることがなく、非常に強固なレールの抜止め構造となる。すなわち、列車からボルト等を介して埋込栓が横圧力及びふく進力を受けても、埋込栓が段部に当接しているため、埋込栓がまくら木内から抜け出る心配はない。
また、本発明のまくら木では、突出部が凹部内の収容空間から離間した位置に配置され、収容空間を仕切る壁と埋込栓の間と、凹部内には固定剤が充填されていることにより、埋込栓はまくら木内に強固に固着し、埋込栓の引抜抵抗力は大きい。
【００２１】
請求項７に記載の発明は、前記ボルト用孔と、収容空間と、凹部は、各々同心状の円柱形の空間であることを特徴とする請求項６に記載のまくら木である。
【００２２】
本発明のまくら木では、前記ボルト用孔と、収容空間と、凹部とが、各々同心状の円柱形の空間であることにより、埋込栓が収容空間の略中央に配置される。このことにより、埋込栓の周囲に、均等に固定剤が充填される。よって、より強固に、埋込栓がまくら木内に固着する。
さらに、前記ボルト用孔と、収容空間と、凹部とを、同心状にすることにより、まくら木の穿孔加工が容易となる。つまり、製造現場において、作業性が良い。
【００２３】
請求項８に記載の発明は、埋込栓の外側表面に凹部及び／又は凸部を設けたことを特徴とする請求項６又は７に記載のまくら木である。
【００２４】
本発明のまくら木では、埋込栓の外側表面に凹部及び／又は凸部を設けたことにより、固定剤が埋込栓に固着する面積を大きくすることができる。よって、強固に埋込栓をまくら木内に固着することが可能となる。
【発明の効果】
【００２５】
本発明によれば、まくら木内に埋込栓を正確に固定し、且つ埋込栓の周囲に均等に固定剤を充填でき、また、作業性の良いまくら木の製造方法、及びまくら木内における埋込栓の埋設位置の精度が高いまくら木を提供することができる。
【図面の簡単な説明】
【００２６】
【図１】本発明の実施形態に係るまくら木の斜視図である。
【図２】図１のまくら木に埋込栓を設けた状態の部分拡大断面図である。
【図３】本発明の実施形態に係るまくら木の製造方法の第１工程を示すまくら木の部分拡大断面図であって、ボルト用孔（穴）が形成された状態を示す。
【図４】本発明の実施形態に係るまくら木の製造方法の第２工程を示すまくら木の部分拡大断面図であって、図３のボルト用孔（穴）と反対側からボルト用孔（穴）に連通する孔を設け、段部が形成された状態を示す。
【図５】本発明の実施形態に係るまくら木の製造方法の第３工程を示すまくら木の部分拡大断面図であって、図４の孔と同心に鍔部用孔を設けた状態を示す。
【図６】本発明の実施形態に係るまくら木の製造方法の第４工程を示すまくら木の部分拡大断面図であって、図５のまくら木内に埋込栓を配置した状態を示す。
【図７】本発明の実施形態に係るまくら木の製造方法の第５工程を示すまくら木の部分拡大断面図であって、図６の埋込栓に位置決め治具を螺合し、まくら木に埋込栓を固定した状態を示す。
【図８】本発明の実施形態に係るまくら木の製造方法の第６工程を示すまくら木の部分拡大断面図であって、図７のまくら木の鍔部用孔及び孔に樹脂を充填した状態を示す。
【図９】本発明の実施形態に係るまくら木の製造方法の第７工程を示すまくらの部分拡大断面図であって、図８のまくら木から位置決め治具を取り外した状態を示す。
【図１０】埋込栓の斜視図である。
【図１１】位置決め部材の斜視図である。
【図１２】本発明の実施形態の変形例を示す、まくら木に埋込栓を設けた状態の部分拡大断面図であり、埋込栓用孔を構成する埋込栓係止壁に凹部を形成した状態を示す。
【発明を実施するための形態】
【００２７】
本発明の実施形態のまくら木の製造方法、及びまくら木の構成について、図面を参照しながら説明する。なお、説明は、実施形態の理解を容易にするためのものであり、これによって、本願発明が制限して理解されるべきではない。
なお、本発明において、まくら木の上下方向について、まくら木を軌道に設置した状態でレールが載置される側が上面であり、その反対面が下面である。
【００２８】
本発明の実施形態のまくら木１の製造方法について説明する。
【００２９】
まくら木１は、まくら木本体２と埋込栓３とで構成されている。埋込栓３は、まくら木本体２内に設けられる。すなわち、まくら木本体２には、筒部７と鍔部４を備えた埋込栓３を収容する貫通孔１０が設けられている。貫通孔１０は、次の手順で形成する。
【００３０】
まず、第１工程では、図３に示すように、まくら木本体２の上面３０側から、ボルト用孔１１を形成する。ボルト用孔１１は、後述する位置決め治具４０（位置決め部材）を丁度挿通可能な直径を有している。
また、ボルト用孔１１の深さは、後述する位置決め治具４０の座金部４３が上面３０に当接して、位置決め治具４０でまくら木本体２に対するボルト用孔１１の芯方向の、埋込栓３の位置決めができるような寸法である。
【００３１】
ここで位置決め治具４０は、図１２に示すようにストレート部４５とおねじ４４とから成る柱部４２と、座金部４３と、頭部４１とを有しており、おねじ４４には埋込栓３のめねじ５が螺合する。
すなわち、位置決め治具４０の頭部４１（座金部４３）がまくら木本体２の上面３０に当接すると、位置決め治具４０は、まくら木本体２に対してボルト用孔１１の芯方向及び芯方向と直交する方向の移動が規制される。よって、位置決め治具４０のおねじ４４と螺合するめねじ５を備えた埋込栓３は、まくら木本体２内で位置決めされる。
【００３２】
図４及び図５は、図３とは天地逆にまくら木本体２を描写している。
第２工程では、図４に示すように、まくら木本体２の下面３１側から、ボルト用孔１１と同心状に、埋込栓３の筒部７（図１１）の径より大きい孔５０を、ボルト用孔１１と繋がる深さまで開ける。この結果、埋込栓当接段部１６が形成される。
【００３３】
さらに、第３工程では、図５に示すように、まくら木本体２の下面３１側から孔５０と同心に、埋込栓３の鍔部４の径より大きい鍔部用孔１３を、ざぐり加工等により形成する。
ここで、孔５０のうち鍔部用孔１３の部位を除いた部分が、埋込栓用孔１２（収容空間）を構成する。よって、ボルト用孔１１と、埋込栓用孔１２と、鍔部用孔１３が、各々同心状に連通することによって、貫通孔１０が形成される。
なお、埋込栓用孔１２（収容空間）は、埋込栓係止壁３５（収容空間を仕切る壁）で仕切られた空間である。
以上で、まくら木本体２の加工は終了し、次に貫通孔１０に埋込栓３を配置し、固定する手順を説明する。
【００３４】
まず、埋込栓３の構成について説明する。図１０に示すように、埋込栓３は、本体である筒部７と鍔部４（突出部材）とで構成されている。筒部７は有底の円筒状であり、一端に鍔部４が溶接又は一体成形されている。また、他端部は開口しており、内部にめねじ５が設けられている。
埋込栓３の筒部７の外径は、まくら木本体２のボルト用孔１１の径より大きく、埋込栓用孔１２（収容空間）の径より小さい。
筒部７の外側には、複数箇所に環状の凸部６が設けられている。このことにより、樹脂２０（固定剤）が埋込栓３に固着する面積（表面積）を大きくすることができる。
【００３５】
よって、凸部６を設けない場合と比較して、より強固に、埋込栓３をまくら木１（まくら木本体２）内に固着することが可能となる。
なお、筒部７の外側に凸部６の代わりに凹部を設けたり、凸部６と凹部の両方を設けてもよい。
また、鍔部４は平面視（すなわち貫通孔１０方向から見て）で長方形を成し、埋込栓用孔１２（収容空間）に挿通できない形状及び／又は大きさであり、鍔部用孔１３（凹部）よりは小さい。
ここで鍔部用孔１３は、鍔部４よりも一回り大きい長孔状に形成され、鍔部４が収容可能である。すなわち、鍔部４の長辺は、鍔部用孔１３の長手方向の長さよりも短く、短手方向の長さよりも長い。
このように鍔部４を構成すると、埋込栓３と位置決め治具４０を螺合する際に、位置決め治具４０の頭部４１を回転させても埋込栓３は追従して回転しない。
よって、埋込栓３側を支持しなくても、位置決め治具４０を回転させるだけで、位置決め治具４０と埋込栓３を一体固着できる。
【００３６】
第４工程では、前述のように構成された埋込栓３は、図６に示すように、まくら木本体２の下面３１側の鍔部用孔１３から挿入される。
すなわち、詳しくは後述するが、埋込栓３の開口側の端部である上端部８が、埋込栓当接段部１６と隙間無く当接するまで挿入する。
【００３７】
次に、位置決め治具４０について詳述する。位置決め治具４０は、図１１に示すように、六角状の頭部４１と、円柱状の柱部４２と、座金部４３を有している。柱部４２は、おねじ４４とストレート部４５により構成され、柱部４２の先端側におねじ４４が形成されている。柱部４２の長さは、頭部４１（座金部４３）がまくら木本体２の上面３０に当接した状態で、おねじ４４の先端が埋込栓用孔１２の略真ん中にまで達する長さであり、ストレート部４５の径は、ボルト用孔１１の径と略同一である。
すなわち、位置決め治具４０は、おねじ４４がボルト用孔１１を通過して埋込栓用孔１２内に配置され、さらに、ストレート部４５がボルト用孔１１に嵌って径方向の移動が規制される。
【００３８】
次にまくら木１の製造手順を説明する。
第５工程では、図７に示すように、まくら木本体２の上面３０側のボルト用孔１１から位置決め治具４０を挿入し、位置決め治具４０のおねじ４４と、埋込栓３のめねじ５を螺合させる。
すなわち、埋込栓３の上端部８が、埋込栓当接段部１６に隙間無く当接し、且つ、位置決め治具４０の座金部４３が上面３０に当接するまで、位置決め治具４０のおねじ４４と埋込栓３のめねじ５を螺合させる。
【００３９】
これにより、貫通孔１０の中で埋込栓３の芯方向（上下方向）への移動が規制され、まくら木本体２に対して埋込栓３が固定される。
また、位置決め治具４０のストレート部４５の径が、ボルト用孔１１の径と略同一であるため、位置決め治具４０は、しっかりとボルト用孔１１に固定される。
すなわち、まくら木本体２に対して、位置決め治具４０による埋込栓３の位置決め精度が高くなり、まくら木本体２内の所定の位置で埋込栓３が固定される。
その結果、位置決め治具４０に締結された埋込栓３の筒部７は、埋込栓用孔１２の略中央に配置される。つまり、まくら木本体２において、埋込栓３が適切に埋設される。
【００４０】
さらに、埋込栓３の上端部８が、埋込栓当接段部１６と当接し、位置決め治具４０の座金部４３がまくら木本体２の上面３０に当接し、埋込栓３と位置決め治具４０は、まくら木本体２を挟持しており、埋込栓３と位置決め治具４０は、まくら木本体２に堅固に固定される。この時、埋込栓３の鍔部４は、埋込栓用孔１２から離間している。
すなわち、埋込栓３（筒部７）と埋込栓用孔１２の間に形成された隙間は、鍔部用孔１３と連通している。
【００４１】
そして、第６工程では、図８に示すように、まくら木本体２の下面３１側の鍔部用孔１３から樹脂２０を充填する。
樹脂２０は、埋込栓３の鍔部４の周囲に流れ込み、さらに、埋込栓３の筒部７と埋込栓係止壁３５（収容空間の壁）の間にも流れ込む。
従って、前述のように、鍔部用凹部１３から樹脂２０を入れた場合、樹脂２０は、「埋込栓３の筒部７と埋込栓用孔１２の間」には満たされるが、「ボルト用孔１１」へ漏れ出ることがない。
【００４２】
図９は、図８とは天地逆にまくら木本体２を描写している。
第７工程では、図９に示すように、樹脂２０が固まった後、位置決め治具４０を取り外す。まくら木本体２の上面３０側のボルト用孔１１に、キャップ２２を嵌め、据付現場でレールを固定するまでの間、異物の侵入を阻止するのが好ましい。
【００４３】
本発明におけるまくら木１の製造方法では、埋込栓３のめねじ５に螺合する位置決め治具４０（位置決め部材）で、埋込栓３をまくら木１（まくら木本体２）内に位置固定し、埋込栓３が収容された埋込栓用孔１２（収容空間）及び鍔部用孔１３（凹部）に樹脂２０（固定剤）を充填し、固化することにより、位置決め治具４０を取り外した後においても埋込栓３を適切な位置に固定することができる。つまり、樹脂２０を流し込んだ際に、埋込栓３の位置がずれることがない。
【００４４】
また、位置決め治具４０（位置決め部材）によって、埋込栓３が、まくら木１（まくら木本体２）内に適切に固定されることにより、埋込栓３がまくら木１の上面３０から突出する事態が生ずることがなく、従来のように、埋込栓３の突出した部位を削り取る必要がない。
【００４５】
さらに、本発明におけるまくら木１の製造方法では、埋込栓用孔１２（収容空間）を埋込栓３よりも大きく形成することにより、埋込栓３を挿通すると、埋込栓用孔１２と埋込栓３との間には、隙間ができる。
また、埋込栓３の鍔部４（突出部）が埋込栓用孔１２（収容空間）から離間していることにより、埋込栓３と埋込栓係止壁３５（収容空間の壁）の間への樹脂２０（固定剤）の充填を確実に行うことができる。
よって、埋込栓３をまくら木１（まくら木本体２）内に強固に固着させることができ、埋込栓３の引抜抵抗力を大きくできる。
【００４６】
続いて、本発明の実施形態のまくら木１の構成に基づく特徴について詳述する。
【００４７】
まくら木１（まくら木本体２）の貫通孔１０は、ボルト用孔１１と、埋込栓用孔１２（収容空間）と、鍔部用孔１３（凹部）から構成され、各々同心状に連通し、円柱形の空間を形成している。
よって、埋込栓３の周囲に、均等に、樹脂２０（固定剤）を充填することが可能となり、強固に埋込栓３をまくら木１（まくら木本体２）内に固着することが可能となる。
【００４８】
また、ボルト用孔１１と、埋込栓用孔１２（収容空間）と、鍔部用孔１３（凹部）とを、各々同心状にすることで、まくら木１の穿孔加工が容易となる。
【００４９】
ボルト用孔１１は、レール固定用のボルトを挿通させる孔であり、埋込栓用孔１２（収容空間）と連通している。ボルト用孔１１には、キャップ２２が嵌められている。キャップ２２の径はボルト用孔１１の径と略同一に形成されることが望ましく、異物が埋込栓３の内部に入り込むことを防止し、レール等をまくら木１に取り付ける際に、手で簡単に取り外せるものとする。
【００５０】
埋込栓用孔１２（収容空間）は、埋込栓係止壁３５（収容空間を仕切る壁）で仕切られた空間である。埋込栓係止壁３５（収容空間を仕切る壁）には、例えば図１２の本発明の実施形態の変形例のまくら木６０に示すように、上下方向のタップ加工等により、凹部及び／又は凸部を形成しても構わない。
【００５１】
埋込栓用孔１２（収容空間）とボルト用孔１１（孔）の間には、埋込栓当接段部１６（段部）が設けられており、埋込栓当接段部１６（段部）に、埋込栓３の上端部８が当接している。
このことにより、埋込栓３が埋込栓用孔１２（収容空間）から、より抜けにくい構造となる。すなわち、埋込栓３が列車（図示せず）から横圧力及びふく進力を受けても、埋込栓当接段部１６（段部）に、埋込栓３の上端部８が当接しているため、埋込栓３がまくら木本体２内から抜け出ることがなく、非常に強固なレールの抜止め構造となる。
【００５２】
樹脂２０（固定剤）の種類としては、まくら木本体２と同様に、例えば、ウレタン樹脂、エポキシ樹脂、ビニルエステル樹脂、不飽和ポリエステル樹脂、フェノール樹脂などの熱硬化性樹脂であって硬質のものが好適に使用され、３０℃程度に暖めて粘度を下げることで充填しやすくなる。
【００５３】
まくら木本体２は、繊維強化硬質樹脂発泡体を素材とする合成木材で構成されることが好ましい。
発泡樹脂の種類としては、例えば、ウレタン樹脂、エポキシ樹脂、ビニルエステル樹脂、不飽和ポリエステル樹脂、フェノール樹脂などの熱硬化樹脂であって硬質のものが好適に使用される。
【００５４】
なお、発泡樹脂中に、圧縮強度の向上や低コスト化を図るために、炭酸カルシウム、石膏、タルク、水酸化アルミニウム、クレーなどの無機充填材や、シラスバルーン、パーライト、ガラスバルーン等の軽量骨材が添加されても良い。板材の硬質樹脂発泡材を補強する繊維としては、例えば、ガラス繊維、炭素繊維、金属繊維、セラミック繊維などの無機質繊維や、芳香族ポリアミド繊維等の合成繊維や天然繊維等の有機質繊維の何れかであればよいが、強度や経済性の面からガラス繊維が適している。
【００５５】
繊維の形態は、ヤーン、クロス、ロービング、ロービングクロス、クロスマット等の長繊維形態のものが好適であり、必要に応じてチップ、ミドルファイバー等の短繊維やシラスバルーン等の中空充填材を併用しても良い。ガラス繊維としては、ガラスロービング、ガラスロービングクロス、ガラスマット、コンティニュアスストランドマット等の形態のものが挙げられる。
【００５６】
この繊維は単独で使用しても良いし、２層以上積層して使用しても良く、また、長繊維と短繊維を混ぜて使用しても良い。最も好適な材料としては硬質ウレタン樹脂を長手方向へ引き揃えられたガラス長繊維で補強した発泡体である（例えば、商品名「エスロンネオランバー  ＦＦＵ」積水化学工業株式会社製）。
【００５７】
本実施形態では、ボルト用孔１１と、位置決め治具４０（位置決め部材）のストレート部４５の径とが略同一である例を示したが、本発明はこれに限定されるものではなく、ボルト用孔１１の開口の部分や、ボルト用孔１１の途中が、位置決め治具４０（位置決め部材）の大きさと相違していても構わない。つまり、位置決め治具４０（位置決め部材）を固定できれば良い。
【符号の説明】
【００５８】
１    まくら木
２    まくら木本体
３    埋込栓
４    鍔部（突出部）
５    めねじ
６    凸部
７    筒部
８    上端部
１０    貫通孔
１１    ボルト用孔
１２    埋込栓用孔（収容空間）
１３    鍔部用孔（凹部）
１６    埋込栓当接段部（段部）
２０    樹脂（固定剤）
２２    キャップ
３０    上面
３１    下面
３５    埋込栓係止壁
４０    位置決め治具（位置決め部材）
５０    孔
【図１】
2011006938.tif 000003
【図２】
2011006938.tif 000004
【図３】
2011006938.tif 000005
【図４】
2011006938.tif 000006
【図５】
2011006938.tif 000007
【図６】
2011006938.tif 000008
【図７】
2011006938.tif 000009
【図８】
2011006938.tif 000010
【図９】
2011006938.tif 000011
【図１０】
2011006938.tif 000012
【図１１】
2011006938.tif 000013
【図１２】
2011006938.tif 000014